(57)【特許請求の範囲】
【請求項１】
予め決められたプレゼンテーションする複数のファイルをもつシステムにおいて、
複数の前記ファイルが画面上に表示される順番を表すフロー図を備えており、
前記フロー図は、前記ファイルにそれぞれ関連づけされたファイル記号と、前記ファイル記号間を繋ぐ矢印と、複数の前記ファイル記号で形成された同時系グループと、前記同時系グループとは別の複数の前記ファイル記号で形成された単純系グループで構成されていて、
前記同時系グループに属する前記ファイル記号に関連する前記ファイルは、前記画面上に全て同時に表示されるように予めプログラムされ、
前記単純系グループに属する前記ファイル記号に関連する前記ファイルは、前記画面上に定められた順番で一つ一つ表示されるように予めプログラムされ、
何れかの前記ファイルを表示中に、前記同時系グループに属する前記ファイル記号が選択されると、選択されたファイル記号に関連したファイルのみを前記画面上に表示して先へ進み、
何れかの前記ファイルを表示中に、前記単純系グループに属する前記ファイル記号が選択されると、選択された前記ファイル記号に関連した前記ファイルを前記画面上に表示して先へ進み、
前記ファイル記号が二つ以上選択された場合、選択されたそれぞれの前記ファイル記号に関連した前記ファイルを、前記画面上に全て同時に表示して先へ進む機能をさらに備えたことを特徴とするプレゼンテーションシステム。
【請求項２】
前記同時系グループのファイルおよび前記単純系グループのファイルとが、それぞれタイトルに関するファイルを備えており、しかも前記タイトルに関するファイルは、対応する同時系グループまたは単純系グループに属さず独立になっていることを特徴とする請求項１に記載のプレゼンテーションシステム。
【発明の詳細な説明】
【技術分野】
【０００１】
本発明は、先生（以下、先生、講演者等をここでは統一して先生と称する）が生徒（以下、生徒、受講者等をここでは統一して生徒と称する）に提案、講演を行う場合、講演時までの先生の種々の日常活動やインターネット等を通じて蓄積してきた各種研究資料ファイル等を利用して、先生の講演の意図が「思うように演出できる」ようにするプレゼンテーションシステムに関するものである。
【背景技術】
【０００２】
現在の技術では、先生が講演する場合の資料の編集及び表示・再生は、マイクロソフト（登録商標）のパワーポイント（登録商標）をはじめとする各種プレゼンテーションソフトウェアを用いて行われている（例えば、特許文献１を参照）。この種のソフトウェアによる資料の再生は、ＰＣを使って行われる場合が多い。或いは、オーバーヘッドプロジェクタ（ＯＨＰ）が利用される場合もある。このような、プレゼンテーションソフトウェアを用いた資料表示は、ある一定のルールに従ってスライド画面を一つ一つ前進させる、或いは、後退させる、といった単純な操作により行われるのが一般的である。
【０００３】
また、フロー図と説明資料の一覧を示す表を組み合わせて、フロー図通りに説明資料を表示・再生するプレゼンテーションソフトウェア（例えば、本願出願人による特許文献２を参照）も存在する。このプレゼンテーションソフトウェアは、二つ以上の説明資料を画面上に同時に表示させるフロー図を作成できるので、講演時に二つ以上の説明資料の同時表示が可能である。
【先行技術文献】
【特許文献】
【０００４】
【特許文献１】特開平８−１７１５５０号
【特許文献２】特開２０１５−０４９８８５号
【発明の概要】
【発明が解決しようとする課題】
【０００５】
しかしながら、講演の状況によっては、先生の意図によって、画面上に同時に表示された二つ以上の説明資料の内の一つを選択して、その選択した説明資料を重点的に説明し、先に進めたい場合がある。また、講演前は同時表示を予定していなかった二つ以上の説明資料を、同時に画面上に表示させて説明したい場合もある。
【０００６】
本発明は、このような背景の下に案出されたものであり、先生が、自身の講演の思想（ストーリー）やディスプレイする表現を、自身の操作通りに先へ進めることができるようにすることを目的としている。
【課題を解決するための手段】
【０００７】
上記課題を解決するため、本発明では、予め決められたプレゼンテーションする複数のファイルをもつシステムにおいて、複数の前記ファイルが画面上に表示される順番を表すフロー図を備えており、前記フロー図は、前記ファイルにそれぞれ関連づけされたファイル記号と、前記ファイル記号間を繋ぐ矢印と、複数の前記ファイル記号で形成された同時系グループで構成されていて、前記同時系グループに属する前記ファイル記号に関連する前記ファイルは、前記画面上に全て同時に表示されるように予めプログラムされていて、何れかの前記ファイルを表示中に、前記同時系グループに属する前記ファイル記号が選択されると、選択されたファイル記号に関連したファイルのみを前記画面上に表示して先へ進むことを特徴とするプレゼンテーションシステムを提供する。
【０００８】
ここで、ファイル記号とは、一つ一つのファイルにつけられる整理のための番号をいい、同時系グループとは、一定の決められた時間内で同一の画面上に映し出されるファイルのグループのことをいう。
【０００９】
好ましくは、前記フロー図は、複数の前記ファイル記号で形成された前記同時系グループとは別の単純系グループをさらに備え、前記単純系グループに属する前記ファイル記号に関連した前記ファイルは、前記画面上に定められた順番で一つ一つ表示されるように予めプログラムされていて、何れかの前記ファイルを表示中に、前記単純系グループに属する前記ファイル記号が選択されると、選択された前記ファイル記号に関連した前記ファイルを前記画面上に表示して先へ進む。
【００１０】
ここで、単純系グループとは、一定の決められた時間内で同一の画面上に一つ一つ順番に映し出されるファイルのグループのことをいう。
【００１１】
好ましくは、前記ファイル記号が二つ以上選択された場合、選択されたそれぞれの前記ファイル記号に関連した前記ファイルを、前記画面上に全て同時に表示して先へ進む機能をさらに備えている。
【発明の効果】
【００１２】
本発明では、画面上に何れかのファイルを表示中に、先生は、自身の意図によって先に進めたいと感じ、ファイル記号を選択した場合、選択されたファイル記号に関連したファイルの表示から先へ進む。さらに、選択したファイル記号が同時系グループ（単純系グループ）に属するファイル記号の場合は、選択したファイル記号に関連したファイルのみを表示することができる。従って、本発明によると、講演の状況や受講者の理解度によって、先生は表示予定していたファイルの表示をスキップして説明の時間短縮及び説明の簡略化をすることができる。
【００１３】
さらに、選択したファイル記号が同時系グループ（単純系グループ）に属するファイル記号の場合は、選択したファイル記号に関連したファイルのみを表示することができる。従って、同時表示する予定だった複数のファイルの一つのみを表示して重点的に説明することができる。
【００１４】
そして、選択したファイルが表示された後、次に表示されるファイルは選択する前のファイルに戻るのではなく、選択されたファイルから先に進むようにして表される。これによりプレゼンテーションの効率性が向上し、講演を流れよく円滑に行うことができる。また受講者にとっては、先生が講演中にファイルをスキップして表示するように判断し、そしてそのファイルから先にそのまま進んで講演が続けられていくので飽きのこない講義を受講することができる。
【００１５】
また、ファイル記号が二つ以上選択されると、選択されたファイル記号に関連したファイルの全てが同時に画面上に表示されるので、先生は、講演中でも複数のファイルを、従来のフロー図を変更した形で説明に利用することもできる。
【図面の簡単な説明】
【００１６】
【図１】本発明の一実施形態であるプレゼンテーションシステムの全体構成を示す図。
【図２】本発明の操作画面を示す図。
【図３】ファイルを一つ一つ順番通りに画面上に表示させるフロー図を示す図。
【図４】同時系グループに属する複数のファイルの全てを同時に画面上に表示させるフロー図を示す図。
【図５】同時系グループに属する複数のファイルを画面上に同時表示中に、その内の一つを選択すると、同時表示から選択したファイルのみの表示に切り替わり、一つ一つ順番通りに表示されることを説明する図。
【図６】単純系グループに属する二つのファイルを選択した後、その内の一つを選択した場合に、選択された二つのファイルが同時に画面上に表示されることを説明する図。
【図７】同時系グループに属するファイルの単純表示及び同時表示への切り替えを説明する図。
【図８】単純系グループに属するファイルの同時表示及び単純表示への切り替えを説明する図。
【図９】矢印が接触しているか否かの当り判定ロジックを示すフローチャート。
【図１０】単純系グループにファイル記号が属するか否かの当り判定の動作を示すフローチャート。
【発明を実施するための形態】
【００１７】
以下、図面を参照して、本発明の実施形態について説明する。
図１は、本発明の一実施形態であるプレゼンテーションシステム１の全体構成を示す図である。図１に示すように、本システム１は、ディスプレイ８０と、スピーカ９０と、プレゼンテーション装置１０とを有する。この装置は、通常、ＰＣ機能も併せ持つ。ＰＣ機能を十分に持った例えばプレゼンテーション専用機的なものを指す。本システム１におけるプレゼンテーション装置１０は、通常、プレゼンテーション会場の壇上の真ん中に設置される教卓の上に設置される。ディスプレイ８０は、プレゼンテーション会場の壇上に設置される。スピーカ９０は、プレゼンテーション会場の壇上や壁面に設置される。
【００１８】
プレゼンテーション装置１０は、講演会場において講演を行う先生による資料の編集と発表を支援する役割を果たす装置である。先生は、講演日の前に、講演の進行に合わせて参照する文書画像ファイル、静止画像ファイル、動画像ファイル、及び音声ファイルを一つのデータに取り纏める作業を行う。
【００１９】
先生は、講演日の当日に、プレゼンテーション装置１０と講演の概要を記した冊子資料を会場に持参し、講演を受講する生徒に冊子資料を必要に応じて配布する。そして、先生は、一つのデータとして纏めておいた各種ファイルを生徒に視聴させながらプレゼンテーションを進める。
【００２０】
図１において、プレゼンテーション装置１０は、画像出力インターフェース１１、音声出力インターフェース１２、ＣＰＵ１３、ＲＡＭ１４、ＲＯＭ１５、ハードディスク１６、ＰＣ用ディスプレイ１７、マウス１８、キーボード１９、マイクロホン２０、スピーカ２１を有する。画像出力インターフェース１１は、ディスプレイ８０が接続された場合に、ディスプレイ８０に画像信号を出力する。音声出力インターフェース１２は、スピーカ９０が接続された場合に、スピーカ９０に音信号を出力する。ＣＰＵ１３は、ＲＯＭ１５やハードディスク１６に記憶された各種プログラムを実行する。ハードディスク１６には、一般ファイル１６ａ、講演会専用ファイル１６ｂ及びプレゼンテーションプログラムＰＲが格納されている。
【００２１】
ハードディスク１６内の一般ファイル１６ａは、先生が日常管理しているファイルであり、講演会専用ファイル１６ｂは、講演会専用ファイル１、講演会専用ファイル２、…というように講演会毎に管理された、講演会で画面上に表示するファイル（講演会専用ファイル）である。プレゼンテーションプログラムＰＲは、次の三つの機能を有する。
【００２２】
ａ１．表示機能
これは、ハードディスク１６内のファイルの中からプレゼンテーションの対象として選択されたファイルの各々を示し、画面上に表示する順番が連続して割り当てられているファイル記号Ｎ、ファイル記号Ｎを順番に沿って繋ぐ矢印ＬＮ、ファイルのグループ化を示す二種類の丸い図形ＳＹ１、ＳＹ２で構成されるフロー図３７と、上記のファイルの名称等をＰＣ用ディスプレイ１７に表示させる機能である。
【００２３】
ｂ１．編集機能
これは、操作画面３１上で、フロー表示領域３６内に各ファイル記号Ｎを矢印ＬＮで繋げ、或いは、単一丸の図形ＳＹ１又は二重丸の図形ＳＹ２に一つ又は複数個のファイル記号Ｎを配置して、ファイルの表示順を示すフロー図３７を作成する機能である。
【００２４】
ｃ１．再生機能
これは、編集機能により作成したフロー図３７で示される通りに各ファイル記号Ｎに関連したファイルをディスプレイ８０上に表示する再生処理を行う機能である。
【００２５】
次に、本実施形態の動作について説明する。本実施形態の動作は、プレゼンテーションプログラムＰＲを起動すると開始される。プレゼンテーションプログラムＰＲを起動すると、ＣＰＵ１３は、操作画面３１をＰＣ用ディスプレイ１７に表示させる。図２は、操作画面３１を示す図である。操作画面３１は、タイトルバー３２、ツールバー３３、フロー表示領域３６、手順表示領域３８、操作ボタン画面３９で構成される。ツールバー３３には、矢印ＬＮを作成するための矢印ボタン３４、手順表示領域３８の表示／非表示を切り替えられる一覧表示切替ボタン３５が配置される。操作ボタン画面３９には、再生処理を開始するための開始ボタン４０、ファイルの表示をディスプレイ８０からＰＣ用ディスプレイ１７に切り替えられる表示画面の切替ボタン４１、再生処理を一時停止させるための一時停止ボタン４２、再生処理を終了させるための終了ボタン４３が配置される。
【００２６】
手順表示領域３８が表示されている場合は、手順表示領域３８の表示／非表示を切り替えるための一覧表示切替ボタン３５は凹んでいる。ここで、一覧表示切替ボタン３５をマウス１８で左クリックして凹みをなくすと、手順表示領域３８が消えて画面の全面にフロー表示領域３６が表示される。但し、操作画面３１の右下隅には、操作ボタン画面３９が表示され続ける。再度、一覧表示切替ボタン３５をマウス１８で左クリックして凹ませると、手順表示領域３８が再び現れる。
【００２７】
フロー表示領域３６には、各ファイルの表示順を表すフロー図３７が表示される。フロー図３７は、「開始」及び「終了」の文字を囲んだ二つの矩形の図形ＭＫＳＴＲ及びＭＫＥＮＤ、複数のファイルの各々を示すファイル記号Ｎ、ファイル記号Ｎを繋ぐ矢印ＬＮ、単純系グループＧＰ１及び同時系グループＧＰ２で構成される。単純系グループＧＰ１は、単一丸の図形ＳＹ１に配置された複数のファイル記号Ｎに関連したファイルをグループ化して、それらファイルを一つずつ順番に表示させることを示す図形群である。同時系グループＧＰ２は、二重丸の図形ＳＹ２に配置された複数のファイル記号Ｎに関連したファイルをグループ化して、それらファイルを全て同時に表示させることを示す図形群である。図２は、フロー図３７が作成され完成した状態を示している。フロー図３７の作成操作については後述する。
【００２８】
なお、上記の同時系グループＧＰ２について、ファイル記号Ｎを配置する図形は二重丸の図形ＳＹ２でなくても、二重丸の多角形であってもよい。また、図２の二重丸の図形ＳＹ２は正円（真円）を示しているが、楕円であってもよい。また、図形ＳＹ２の線の数について、同時に二ファイルを表示する場合は二本（二重）、同時に三ファイルを表示する場合は三本（三重）と、同時に表示するファイル数に応じて線の数を変更してもよい。
【００２９】
また、ファイル記号Ｎを図形ＳＹ２に配置せずに、ファイル記号Ｎ同士を、矢印ＬＮとは別の矢印の無い線で繋いで、同時系グループを形成できるようにしてもよい。
【００３０】
さらに、単純系グループＧＰ１についても、同様に図形は単一丸にこだわらない。また、ファイル記号Ｎについても、図形は円又は多角形であってもよい。
【００３１】
手順表示領域３８には、プレゼンテーションする複数個のファイルの名称等を示す。手順表示領域３８は、以下の六種類の項目からなる。なお、図２は、後述する手順一覧表作成操作によってファイルがリストアップされ、表示時間等が入力された状態を示している。
【００３２】
ａ２．手順番号
この項目は、フロー図３７で示される該当のファイルの表示順を「ｆ」の文字と表示順の番号とを合わせたものを示す。該当のファイルが表示中の際には、この項目の左側を赤で点滅させる。
【００３３】
ｂ２．名称
この項目は、該当のファイルのファイル名を示す。
【００３４】
ｃ２．表示ページ
この項目は、該当のファイルの表示内容と対応する冊子資料のページ番号を示す。
【００３５】
ｄ２．単純表示時間
この項目は、該当のファイルが単一で表示されるときの表示時間を示す。
【００３６】
ｅ２．同時表示時間
この項目は、複数の該当のファイルの全てが同時に表示されるときの表示時間を示す。
【００３７】
ｆ２．表示状態（表示／停止）
この項目は、該当のファイルが表示されているとき、表示中（表示文章・図表・画像・映像等が進んでいることを示す）の場合か停止中（ポーズされていることを示す）の何れかの状態であるかを示す。
【００３８】
この操作画面３１において、先生は、手順一覧表作成操作、フロー図作成操作、再生開始操作、スキップ再生操作、二つ以上のファイル記号選択による同時再生操作、単純／同時切り替え操作、一時停止／再開操作、画面切り替え操作、終了操作を行うことができる。各操作の内容は次の通りである。
【００３９】
ａ３．手順一覧表作成操作
この操作では、先生は、ファイル管理ソフトの画面から、当該画面に表示される先生が日常的に管理している一般ファイル１６ａの内の所望のファイルを手順表示領域３８にドラッグアンドドロップし、講演会専用ファイル１６ｂとしてリストアップする操作を行う。
【００４０】
この操作が行われると、ＣＰＵ１３は、次の処理を行う。はじめに、ＣＰＵ１３は、ドラッグアンドドロップにより選択されたファイルが当該プレゼンテーション装置１０内のアプリケーションによる再生可能な形式のファイル（具体的には、ｆｌｖ、ｗｍｖ、ｂｍｐ、ｐｄｆ、ｊｐｇ、ｇｉｆ、ｈｔｍｌ等の所定の拡張子を持ったファイル）であるか否かを判定する。ＣＰＵ１３は、選択されたファイルが再生可能な形式のファイルである場合は、選択されたファイルの複製を生成し、この複製を講演会専用ファイル１６ｂとしてハードディスク１６内の該当の講演会専用のフォルダに格納する。ＣＰＵ１３は、選択されたファイルが再生可能な形式のファイルでないが一般的な形式のファイルの場合は、このファイルを再生可能な形式のファイルに変換し、この変換したファイルを講演会専用ファイル１６ｂとしてハードディスク１６内の該当の講演会専用のフォルダに格納する。
【００４１】
その上で、ＣＰＵ１３は、手順表示領域３８の「名称」の項目に該当のファイルのファイル名を追加し、「表示ページ」の項目を空欄とし、「単純表示時間」の項目を「０：００」とし、「同時表示時間」の項目を「０：００」として表示する。また、手順表示領域３８の各行の「手順番号」の項目で示す該当のファイルの表示順番号を昇順に振り直す。先生は、以上の操作を繰り返すことにより、講演において生徒に視聴させるファイルをリストアップする。
【００４２】
また、先生は、手順表示領域３８の「表示ページ」の項目を左クリックすることによりその項目を入力可能状態にし、当該項目内に冊子資料のページ番号を入力する。文書形式によっては、ページ番号を明確にすることが難しいものがあり、工夫を要する。
【００４３】
また、先生は、手順表示領域３８の「単純表示時間」の項目を左クリックすることによりその項目を入力可能状態にし、単純系態様時の表示時間を入力する。
【００４４】
また、先生は、手順表示領域３８の「同時表示時間」の項目を左クリックすることによりその項目を入力可能状態にし、同時系態様時の表示時間を入力する。
【００４５】
ｂ３．フロー図作成操作
この操作では、先生は、フロー表示領域３６内の「終了」の文字が表示された矩形の図形ＭＫＥＮＤをドラッグすることにより、フロー表示領域３６内のＭＫＳＴＲとＭＫＥＮＤの間の左右方向の間隔を広げる。その上で、先生は、手順表示領域３８から所望の行をＭＫＳＴＲとＭＫＥＮＤの間にドラッグアンドドロップする。
【００４６】
先生は、フロー表示領域３６内に少なくとも一個以上のファイル記号Ｎを配置した後、矢印ＬＮをフロー表示領域３６内に出現させるための矢印ボタン３４をマウス１８で左クリックして凹ませる。その上で、先生は、フロー表示領域３６内の矩形の図形ＭＫＳＴＲ又はＭＫＥＮＤとファイル記号Ｎの間を、或いは、二つのファイル記号Ｎの間を、マウス１８の左ボタンを押下したままマウスポインタＰを移動させる。
【００４７】
この操作が行われると、ＣＰＵ１３は、右側に矢印を向けて二つの矩形の図形或いはファイル記号Ｎを結ぶ矢印ＬＮを出現させる。そして、出現した矢印ＬＮの右端がファイル記号Ｎに接触すると、ＣＰＵ１３は、フロー表示領域３６内の全てのファイル記号Ｎの番号、及び、手順表表示領域３８の各行の「手順番号」の項目で示す該当のファイルの表示順番号を、フロー図３７で表される方向に沿って各ファイルの表示順番号を昇順に振り直す。
【００４８】
また、先生は、複数のファイルをグループ化してそれらを一つずつ順番に表示させたい場合は、フロー表示領域３６内の左下の単一丸の図形ＳＹ１をドラッグし、所望の位置に単一丸の図形ＳＹ１の複製を出現させる。そして、所望の複数個のファイルの各々を示すファイル記号Ｎを複製した図形ＳＹ１上に乗せて、単純系グループＧＰ１を作成する。
【００４９】
また、先生は、複数の再生ファイルをグループ化してそれらを全て同時に表示させたい場合は、フロー表示領域３６内の左下の二重丸の図形ＳＹ２をドラッグし、所望の位置に図形ＳＹ２の複製を出現させる。そして、所望の複数個のファイルの各々を示すファイル記号Ｎを複製した図形ＳＹ２上に乗せて、同時系グループＧＰ２を作成する。
【００５０】
図２には、完成したフロー図３７を示している。このフロー図３７を説明すると、「開始」及び「終了」の文字を囲んだ二つの矩形の図形ＭＫＳＴＲ及びＭＫＥＮＤ、「ｆ２」〜「ｆ６」のファイル記号Ｎ（以降、全て「のファイル記号Ｎ」の記述を省略）の単純系グループ、「ｆ８」〜「ｆ１１」の同時系グループ、「ｆ１３」〜「ｆ１４」の同時系グループ、どのグループにも属さない「ｆ１」「ｆ７」「ｆ１２」、及び、矢印ＬＮで構成されている。どのグループにも属さない「ｆ１」「ｆ７」「ｆ１２」に関連するファイルの内容は、本例では、それぞれ、「ｆ２」〜「ｆ６」の単純系グループのタイトル画像、「ｆ８」〜「ｆ１１」の同時系グループのタイトル画像、「ｆ１３」〜「ｆ１４」の同時系グループのタイトル画像である。このように、グループのタイトル画像をグループに属さないようにフロー図３７を作成することにより、先生は、グループのタイトル画像と本題のファイルとを分けて見ることができ、フロー図３７によるファイルの表示順が見易くなる。
【００５１】
また、本例では、「ｆ２」〜「ｆ６」の単純系グループＧＰ１は、複数ページで構成される文書ファイルから説明に必要なページのみをそれぞれ画像ファイルに変換し、一つ一つ順番に表示させるためのグループである。「ｆ８」〜「ｆ１１」の同時系グループＧＰ２は、四つの映像を同時に表示させて、四方向からの視点の違いを説明するためのグループである。「ｆ１３」〜「ｆ１４」の同時系グループＧＰ２は、二つの映像を同時に表示させて、その二つを比較しながら説明するためのグループである。
【００５２】
フロー図３７が完成したら、先生は、後述する操作を行って、講演を進めていく。先生は、講演の最初の段階で、フロー図３７が表示された操作画面３１をＰＣ用ディスプレイ１７に表示させる。
【００５３】
ｃ３．再生開始操作
この操作では、先生は、開始ボタン４０を左クリックすることによって、前述した再生処理を開始する。又は、「開始」の文字が表示された矩形の図形ＭＫＳＴＲをマウス１８の左ボタンでダブルクリックすることによって、再生処理を開始する。これらの操作が行われると、ＣＰＵ１３は、開始ボタン４０の文字を「開始」から「再開」に切り替え、再生処理を行っていく。なお、開始ボタン４０の文字が「開始」から「再開」に切り替わった後の当該ボタンの動作は、後述の一時停止／再開操作で説明する。
【００５４】
再生処理が開始されると、ＣＰＵ１３は、図３に示すように、矩形の図形ＭＫＳＴＲが矢印ＬＮの左端と接触しているか否かの当たり判定を行う。この当たり判定は、接触していると判定した場合に、矢印ＬＮの方向に前進するために行う。ここで述べる接触しているとは、図３のように、矩形の図形ＭＫＳＴＲが矢印ＬＮの左端に接触している状態のことである。この状態のとき、ソフト的には接触している状態になる。矩形の図形ＭＫＳＴＲの枠の外側には許容差があり、矢印ＬＮの左端が許容差内に入っている場合も、接触しているとみなす。許容差をΔｔとした場合、矢印ＬＮの左端が矩形の図形ＭＫＳＴＲよりΔｔ以上離れていれば、ソフト的には非接触状態になる。以下に、この当たり判定を詳しく説明する。
【００５５】
上記の当たり判定について、図３に示すように、矩形の図形ＭＫＳＴＲの左下を原点とし、矢印ＬＮの左端を座標（ｘａ，ｙａ）、矩形の図形ＭＫＳＴＲの左下の頂点を座標（ｘ１，ｙ１）、左下の頂点を座標（ｘ２，ｙ１）、左上の頂点を座標（ｘ１，ｙ２）、右上の頂点を座標（ｘ２，ｙ２）、矩形の図形ＭＫＳＴＲの許容差をΔｔとした場合、矩形の図形ＭＫＳＴＲの左側の許容差の境界線のｘ座標はｘ１−Δｔ、右側の許容差の境界線のｘ座標はｘ２＋Δｔ、下側の許容差の境界線のｙ座標はｙ１−Δｔ、上側の許容差の境界線のｙ座標はｙ２＋Δｔになる。矢印ＬＮの左端の座標が、ｘ１−Δｔ≦ｘａ≦ｘ２＋Δｔ、かつ、ｙ１−Δｔ≦ｙａ≦ｙ２＋Δｔの条件に当てはまっているか否かを判定する（図９参照）。条件に当てはまっている場合は、矢印ＬＮの左端が矩形の図形ＭＫＳＴＲに接触しているとみなす。これは、ソフト的には接触している状態になる。ＣＰＵ１３は、この状態のときに接触していると判定する。条件に当てはまっていない場合は、矢印ＬＮの左端は矩形の図形ＭＫＳＴＲに接触していないとみなし、ソフト的には非接触状態になる。なお、後述の矢印ＬＮの右端がファイル記号Ｎと接触しているか否かの当たり判定、及び、ファイル記号Ｎが矢印ＬＮの左端と接触しているか否かの辺り判定についても、判定ロジックは同様である。
【００５６】
上記の当たり判定で、矩形の図形ＭＫＳＴＲが矢印ＬＮの左端と接触していると判定した場合は、次は当該矢印ＬＮの右端の当たり判定に進む。図３の例では、矢印ＬＮの右端が「ｆ１」と接触しているか否かの当たり判定を行う。ＣＰＵ１３は、この当たり判定において、「ｆ１」が矢印ＬＮの右端と接触していると判定した場合、「ｆ１」に関連したファイル（ファイルＡ.jpgの画像）のみを、手順表示領域３８に示される当該ファイルの「単純表示時間」の間（７秒間）、ディスプレイ８０上に表示する。当該時間が経過した後、ＣＰＵ１３は当該ファイルの表示を停止する。なお、以降の説明では、ファイルの表示の停止の記述は省略する。
【００５７】
「ｆ１」に関連したファイルの表示後、ＣＰＵ１３は、「ｆ１」が矢印ＬＮの左端と接触しているか否かの当たり判定を行う。図３の例では、「ｆ１」が矢印ＬＮの左端と接触しているので、次は当該矢印ＬＮの右端が「ｆ２」と接触しているか否かの当たり判定を行う。また、「ｆ２」は、単一丸の図形ＳＹ１にも配置されている。「ｆ２」が単一丸の図形ＳＹ１に配置されているというのも、当たり判定によって判定する。以下に、この当たり判定を詳しく説明する。
【００５８】
上記の当たり判定は、単一丸の図形ＳＹ１の半径と、単一丸の図形ＳＹ１の中心点から「ｆ２」の各頂点までの距離を比較し、単一丸の図形ＳＹ１の半径が、その距離の内の一つよりも長いか否かを判定することである。具体的には、図３を例に説明すると、単一丸の図形ＳＹ１の中心点を０、「ｆ２」の各頂点をＡ、Ｂ、Ｃ、Ｄとした場合、単一丸の図形ＳＹ１の中心点から「ｆ２」の各頂点のそれぞれの距離は、中心点０からＡまでの距離が０−Ａ、中心点０からＢまでの距離が０−Ｂ、中心点０からＣまでの距離が０−Ｃ、中心点０からＤまでの距離が０−Ｄになる。単一丸の図形ＳＹ１の半径をｒとした場合、ｒ≧０−Ａ、又はｒ≧０−B、又はｒ≧０−Ｃ、又はｒ≧０−Dの何れかの条件に当てはまっているか否かを判定する。条件に当てはまっている場合は、「ｆ２」が単一丸の図形ＳＹ１に配置されていると判定する。何れの条件にも当てはまっていない場合は、「ｆ２」は単一丸の図形ＳＹ１に配置されないと判定する（図１０参照）。図３の例では、ｒ≧０−B、及びｒ≧０−Ｃの条件が当てはまるので、「ｆ２」が単一丸の図形ＳＹ１に配置されていると判定する。
【００５９】
上述の当たり判定によって、「ｆ２」が単一丸の図形ＳＹ１にも配置されていると判定されたので、「ｆ２」に関連したファイル（ファイルＢ.jpgの画像）のみを、手順表示領域３８に示される当該ファイルの「単純表示時間」の間（２５秒間）、ディスプレイ８０上に表示する。
【００６０】
「ｆ２」に関連したファイルの表示後、ＣＰＵ１３は、「ｆ２」から右回りの順で単一丸の図形ＳＹ１にファイル記号Ｎが配置されているか否かを上述の当たり判定によって判定する。図３の例では、「ｆ３」が配置されているので、ＣＰＵ１３は、「ｆ３」が単一丸の図形ＳＹ１に配置されていると判定し、「ｆ３」に関連したファイル（ファイルＣ.jpgの画像）のみを、手順表示領域３８に示される当該ファイルの「単純表示時間」の間（１５秒間）、ディスプレイ８０上に表示する。「ｆ３」に関連したファイルの表示後の、「ｆ４」〜「ｆ６」に関連したファイルについても、同様にＣＰＵ１３は上述の当たり判定によって「ｆ４」〜「ｆ６」が配置されていると判定し、該当のファイルを一つ一つ順番にディスプレイ８０上に表示していく。
【００６１】
また、図４の「ｆ８」のように、矢印ＬＮの右端に接触しているファイル記号Ｎが二重丸の図形ＳＹ２にも配置されている場合、ＣＰＵ１３は、「ｆ９」〜「ｆ１１」も当該二重丸の図形ＳＹ２に配置されていると判定する。そして、当該二重丸の図形ＳＹ２に配置されている「ｆ８」〜「ｆ１１」に関連した全てのファイルを、全てのファイルがディスプレイ８０に収まるよう均等にサイズを調整し、手順表示領域３８に示される当該ファイルの「同時表示時間」の間、ディスプレイ８０上に同時に表示する。このＣＰＵ１３のサイズ調整により、先生は、自分自身で全てのファイルがディスプレイ８０上に収まるようにサイズを調整する手間が省ける。なお、「ｆ８」〜「ｆ１１」が二重丸の図形ＳＹ２に配置されているか否かの当たり判定の判定ロジックは、上述の「ｆ２」が単一丸の図形ＳＹ１に配置されているか否かの当たり判定と同様である。しかし、ここでは、「ｆ８」〜「ｆ１１」を配置するのは二重丸の図形ＳＹ２のため、「ｆ８」が配置されていると判定された時点で直ぐには「ｆ８」に関連したファイルを表示せず、「ｆ９」〜「ｆ１１」も配置されていると判定してから、関連した全てのファイルを同時に表示する。
【００６２】
また、ＣＰＵ１３は、ファイルの再生処理と合わせて、フロー図３７における表示中のファイルを示すファイル記号Ｎを赤で点滅させる。
【００６３】
ｄ３．スキップ再生操作
この操作では、先生は、何れかのファイルを表示中に、フロー図３７における所望の矢印ＬＮを左ボタンでダブルクリックする。この操作が行われると、ＣＰＵ１３は、当該ファイルの表示を停止し、ダブルクリックにより選択された矢印ＬＮの右端が資料番号Ｎに接触しているか否かの当たり判定を行い、接触していると判定されると、当該ファイル記号Ｎ以降に関連したファイルの表示を、前述したように、フロー図３７で示される通りに行っていく。
【００６４】
また、何れかのファイルを表示中に、先生が所望のファイル記号Ｎを左ボタンでダブルクリックした場合は、ＣＰＵ１３は、当該ファイルの表示を停止し、ダブルクリックにより選択されたファイル記号Ｎに関連したファイルのみをディスプレイ８０に表示する。この表示が終了した後、ＣＰＵ１３は、当該ファイル記号Ｎが二重丸の図形ＳＹ２に配置されているか否かの当たり判定を行う。二重丸の図形ＳＹ２に配置されていると判定された場合は、この後の番号のファイル記号Ｎについて、当該二重丸の図形ＳＹ２に配置されているか否かの当たり判定を行う。この当たり判定で、当該二重丸の図形ＳＹ２に配置されていると判定されたファイル記号Ｎに関連したファイルは、番号順に一つ一つディスプレイ８０に表示していく。このことにより、先生は、予め同時表示する予定だった複数のファイルの一つを選択して、選択したファイルの内容のみを表示させて重点的に説明ことができるようになる。以下に実施例を説明する。
【００６５】
図５を例に具体的に説明すると、「ｆ８」〜「ｆ１１」に関連したファイルの全てをディスプレイ８０に同時に表示中に、先生が「ｆ１０」をダブルクリックすると、ＣＰＵ１３は、この表示を停止し、「ｆ１０」に関連したファイル（ファイルＪ.avi）のみをディスプレイ８０に表示する。「ｆ１０」に関連したファイルの表示後、ＣＰＵ１３は、「ｆ１０」が二重丸の図形ＳＹ２に配置されているか否かの当たり判定を行う。本例では、「ｆ１０」が二重丸の図形ＳＹ２に配置されていると判定されるので、「ｆ１０」の後の番号が当該二重丸の図形ＳＹ２に配置されているか否かの当たり判定を行う。本例では、「ｆ１１」も当該二重丸の図形ＳＹ２に配置されていると判定されるので、「ｆ１０」から「ｆ１１」へ進行し、「ｆ１１」に関連したファイル（ファイルＫ.avi）のみをディスプレイ８０に表示する。このことにより、先生は、講演の状況や受講者の理解度によって、「ｆ８」及び「ｆ９」に関連したファイルの表示をスキップして説明の時間短縮及び説明の簡略化をすることができ、さらに、「ｆ１０」及び「ｆ１１」に関連したファイルを一つ一つ順番に表示させて重点的に説明することができるようになる。
【００６６】
なお、上記の当たり判定において、選択されたファイル記号Ｎ、又は、その後の番号のファイル記号Ｎが二重丸の図形ＳＹ２に配置されていないと判定された場合は、前述したように、その後の番号のファイル記号Ｎに関連したファイルの表示は、フロー図で示される通りに行っていく。
【００６７】
また、何れかのファイルを表示中に、先生が単純系グループＧＰ１に属する所望のファイル記号Ｎを左ボタンでクリックして選択すると、ＣＰＵ１３は当該ファイル記号Ｎの近傍に図８に示すような予約ボタン６７を表示させる。先生が予約ボタン６７を左ボタンでクリックすると、表示中のファイルの表示時間の満了後に、選択されたファイル記号Ｎに関連したファイルから、フロー図３７で示される通りにファイルの表示を行っていく。このことにより、先生は、講演の状況や受講者の理解度によって、先生は説明不要と感じたファイルの表示をスキップして説明の時間短縮及び説明の簡略化をすることができる。以下に実施例を説明する。
【００６８】
具体例として、「ｆ１」に関連したファイルをディスプレイ８０に表示中に、先生が「ｆ６」を左ボタンでクリックして選択すると、ＣＰＵ１３は、「ｆ６」の近傍に予約ボタン６７を表示させる。そして、先生が予約ボタン６７を左ボタンでクリックすると、ＣＰＵ１３は、表示中の「ｆ１」に関連したファイルを、手順表示領域３８に示される当該ファイルの「単純表示時間」の間（７秒間）、表示させた後、先生が選択した「ｆ６」に関連したファイルを、手順表示領域３８に示される当該ファイルの「単純表示時間」の間（１５秒間）、ディスプレイ８０上に表示する。「ｆ６」に関連したファイルの表示後、ＣＰＵ１３は、フロー図３７で示される通り、今度は「ｆ７」に関連したファイルをディスプレイ８０上に表示する。このことにより、先生は、説明不要と感じた「ｆ２」〜「ｆ５」に関連したファイルの表示をスキップし、「ｆ６」に関連したファイルから表示を進めて、説明の時間短縮及び説明の簡略化をすることができる。
【００６９】
なお、予約ボタン６７は、単純系グループＧＰ１に属するファイル記号Ｎを選択したときだけでなく、同時系グループＧＰ２に属するファイル記号Ｎを選択した場合、又は、どのグループに属さないファイル記号Ｎを選択した場合、或いは、後述のファイル記号Ｎを複数選択した場合も表示させて、先生が当該予約ボタン６７を左ボタンでクリックした場合は、表示中のファイルの表示時間が満了してから、選択されたファイル記号Ｎに関連したファイルを表示させるようにすることもできる。このことにより、表示中のファイルは表示時間の満了まで待ってから、選択したファイルを表示させるという操作も可能になる。
【００７０】
ｅ３．二つ以上のファイル記号選択による同時再生操作
また、先生が所望のファイル記号Ｎをシフトキーを押下しながら左ボタンでクリックして二つ以上選択した後、選択したファイル記号Ｎの内の何れかを左ボタンでダブルクリックした場合は、ＣＰＵ１３は、選択された複数のファイル記号Ｎに関連したファイルの全てがディスプレイ８０に収まるよう均等にサイズを調整し、当該ファイルの全てをディスプレイ８０上に同時に表示する。この同時表示が終了した後、ＣＰＵ１３は、選択された複数のファイル記号Ｎの内の一番大きい番号に対し、前述した当たり判定を行って、この後の番号のファイル記号Ｎに関連したファイルの表示を行っていく。このことにより、先生は、講演前は同時表示する予定のなかった二つ以上のファイルを同時に表示させて説明することができるようになる。以下に実施例を幾つか掲げる。
【００７１】
（１）「ｆ４」と「ｆ５」を選択し、「ｆ５」をダブルクリックして、同時２画面を表現する。
図６を例に具体的に以下説明すると、再生処理が開始され、「ｆ１」に関連したファイルをディスプレイ８０に表示中に、先生が「ｆ４」及び「ｆ５」をシフトキーを押下しながら左ボタンでクリックして選択した後、「ｆ５」をダブルクリックすると、ＣＰＵ１３は、この表示を停止し、「ｆ４」及び「ｆ５」に関連した二つのファイルがディスプレイ８０に収まるよう均等にサイズを調整し、当該二つのファイルをディスプレイ８０上に同時に表示する。この同時表示が終了した後、ＣＰＵ１３は、選択されたファイル記号Ｎの内の一番大きい番号「ｆ５」に対し、前述した当たり判定を行う。本例では、「ｆ５」が単一丸の図形ＳＹ１に配置されており、「ｆ５」から右回りの順で「ｆ６」も単一丸の図形ＳＹ１に配置されているので、次は「ｆ６」に関連したファイルのみを表示して、再生処理を進めていく。このことにより、先生は、単純系グループＧＰ１であっても、単純系グループＧＰ１に属するファイルの中から幾つかを選択して、それらファイルを同時に表示させて説明することができるようになる。
【００７２】
（２）「ｆ８」〜「ｆ１１」の同時４画面の内の「ｆ１０」と「ｆ１１」を選択し、どちらかのファイル記号Ｎをダブルクリックして、同時２画面を表現する。
先生が「ｆ１０」及び「ｆ１１」をシフトキーを押下しながら左ボタンでクリックして選択した後、どちらかのファイル記号Ｎをダブルクリックすると、ＣＰＵ１３は、「ｆ１０」及び「ｆ１１」に関連した二つのファイルがディスプレイ８０に収まるよう均等にサイズを調整し、当該二つのファイルをディスプレイ８０上に同時に表示する。このことにより、先生は、講演前は「ｆ８」〜「ｆ１１」に関連した全てのファイルを同時表示する予定であったものを、「ｆ１０」及び「ｆ１１」に関連した二つのファイルの同時表示に変更することができるようになる。
【００７３】
（３）タイトル画像の「ｆ１」、「ｆ７」、「ｆ１２」の３つを選択し、どれかのファイル記号Ｎをダブルクリックして、タイトル画像の同時３画面を表現し、講演の概要説明を実現する。
例えば、先生がそれぞれのグループのタイトル画像のファイルを示す「ｆ１」、「ｆ７」、及び、「ｆ１２」をシフトキーを押下しながら左ボタンでクリックして選択した後、どれかのファイル記号Ｎをダブルクリックすると、ＣＰＵ１３は、「ｆ１」、「ｆ７」、及び、「ｆ１２」に関連した三つのファイルがディスプレイ８０に収まるよう均等にサイズを調整し、当該三つのファイルをディスプレイ８０上に同時に表示する。このことにより、先生は、講演で説明するファイルのタイトル画像を全て同時に表示して、講演内容の概要を説明することができるようになる。
【００７４】
（４）タイトル画像の「ｆ７」と、同時系グループの中心ファイルの「ｆ８」を選択し、どちらかのファイル記号Ｎをダブルクリックして、同時２画面を表現し、グループの概要説明を実現する。
例えば、先生が「ｆ８」〜「ｆ１１」が属する同時系グループＧＰ２のタイトル画像のファイルを示す「ｆ７」と、当該同時系グループＧＰ２の中心となるファイルを示す「ｆ８」をシフトキーを押下しながら左ボタンでクリックして選択した後、どちらかのファイル記号Ｎをダブルクリックすると、ＣＰＵ１３は、「ｆ７」及び「ｆ８」に関連した二つのファイルがディスプレイ８０に収まるよう均等にサイズを調整し、当該二つのファイルをディスプレイ８０上に同時に表示する。このことにより、先生は、グループのタイトルの画像と、グループで最も重要なファイルを同時に表示して説明することができるようになる。
【００７５】
（５）例えば、先生が、本例の各グループの中心ファイルを示す「ｆ２」、「ｆ８」、及び、「ｆ１３」をシフトキーを押下しながら左ボタンでクリックして選択した後、どれかのファイル記号Ｎをダブルクリックすると、ＣＰＵ１３は、「ｆ２」、「ｆ８」、及び、「ｆ１３」に関連した三つのファイルがディスプレイ８０に収まるよう均等にサイズを調整し、当該三つのファイルをディスプレイ８０上に同時に表示する。このことにより、先生は、講演で説明するファイルの内の中心となるファイルを全て同時に表示して、タイトル画像の同時表示よりも、さらに具体的に、講演内容の概要を説明することができるようになる。
【００７６】
（６）また、図２において、「ｆ１」に関連したファイルの表示時間中に「ｆ５」や「ｆ６」が選択されると、これら「ｆ５」及び「ｆ６」に関連したファイルの２画面が同時に表示され、そしてその表示時間が過ぎると「ｆ７」に関連したファイルの表示に移る。あるいは、「ｆ７」に関連したファイルの表示時間中に「ｆ１０」や「ｆ１１」が選択されると、これら「ｆ１０」及び「ｆ１１」に関連したファイルの２画面が同時に表示され、そしてその表示時間が過ぎると「f１２」に関連したファイルに移るようにしてもよい。
【００７７】
前述で、先生は、二つ以上のファイル記号Ｎを選択した後、何れかのファイル記号Ｎをダブルクリックして、選択したファイル記号Ｎに関連したファイルの同時表示を実現していた。しかし、左ボタンでダブルクリックしたときと同じ動作をするボタンを操作画面３１上の何処かに設け、先生が所望のファイル記号Ｎを二つ以上選択した後、当該ボタンを押下した場合も、選択されたファイル記号Ｎに関連したファイルの同時表示を実現できるようにすることもできる。このことにより、先生は、より簡単な操作で、選択した複数のファイルの同時表示が実現できる。
【００７８】
ｆ３．単純／同時切り替え操作
二重丸の図形ＳＹ２によりグループ化された複数個のファイルを表示中に、ＣＰＵ１３は、図７に示すように、二重丸の図形ＳＹ２の右隣りに「単純」及び「同時」の文字が表示された単純系操作ボタン６５及び同時系操作ボタン６６を表示させる。先生は、単純系操作ボタン６５を左クリックすると、ＣＰＵ１３は、当該ファイルの表示を同時表示から一つ一つ順番に表示する単純表示に切り替える。単純表示に切り替わった後、先生が同時系操作ボタン６６を左クリックすると、ＣＰＵ１３は、当該ファイルの表示を単純表示から同時表示に戻す。或いは、単一丸の図形ＳＹ１によりグループ化された複数個のファイルを表示中に、ＣＰＵ１３は、図８に示すように、単一丸の図形ＳＹ１の右隣りに、上記と同様に単純系操作ボタン６５及び同時系操作ボタン６６を表示させる。先生は、同時系操作ボタン６６を左クリックすると、ＣＰＵ１３は、当該ファイルの表示を単純表示から同時表示に切り替える。同時表示に切り替わった後、先生が単純系操作ボタン６５を左クリックすると、ＣＰＵ１３は、当該ファイルの表示を同時表示から単純表示に戻す。
【００７９】
ｇ３．一時停止／再開操作
この操作では、先生は、一時停止ボタン４２或いは一時停止ボタン６４を左クリックする。ＣＰＵ１３は、一時停止ボタン４２或いは一時停止ボタン６４が左クリックされると、ファイルの再生処理を一時停止する。前述の再生開始操作によってボタンの文字が「再開」に切り替わった開始ボタン４０或いは再開ボタン６３が左クリックされると、再生処理が再開する。なお、再開ボタン６３及び一時停止ボタン６４は、何れかのファイルを表示中に、当該ファイルを示すファイル記号Ｎの近傍に表示させる。
【００８０】
ｈ３．画面切り替え操作
この操作では、先生は、表示画面の切替ボタン４０を左クリックする。ＣＰＵ１３は、表示画面の切替ボタン４０が左クリックされると、ファイルの表示をＰＣ用ディスプレイ１７に移し、再度左クリックされると、ファイルの表示はディスプレイ８０に戻し、操作画面３１をＰＣ用ディスプレイ１７に再表示させる。
【００８１】
ｉ３．終了操作
この操作では、先生は、終了ボタン４３を左クリックするか、「終了」の文字が表示された矩形の図形ＭＫＥＮＤを左ボタンでダブルクリックする。ＣＰＵ１３は、この操作が行われると、再生を終了し、再生開始操作によってボタンの文字が切り替わった開始ボタン４０のボタンの文字を「開始」に戻す。
【００８２】
以上が、本実施形態の構成の詳細である。本実施形態によると、次の効果が得られる。
第一に、本実施形態では、ＣＰＵ１３は、何れかのファイルを表示中に、ファイル記号Ｎをダブルクリックする操作が行われた場合に、当該ファイルの表示を停止し、ダブルクリックされたファイル記号Ｎに関連したファイルのみを表示する。このとき、このファイル記号Ｎが二重丸の図形ＳＹ２（単一丸の図形ＳＹ１）に配置されている場合は、ＣＰＵ１３は、当該図形ＳＹ２（ＳＹ１）に配置されるファイル記号Ｎに関連したファイルは、番号順に一つ一つ表示していく。このことにより、先生は、講演の状況や受講者の理解度によって、表示予定していたファイルの表示をスキップして説明の時間短縮及び説明の簡略化をすることができる。さらに、同時表示する予定だった複数のファイルの一つのみを表示して重点的に説明することができるようになる。
【００８３】
第二に、本実施形態では、二つ以上のファイル記号Ｎを選択した後、その内のファイル記号Ｎをダブルクリックする操作が行われた場合、ＣＰＵ１３は、選択されたファイル記号Ｎに関連したファイルの全てをディスプレイ８０上に同時に表示する。このことにより、先生は、講演前は同時表示する予定のなかった二つ以上のファイルを同時に表示させて説明することができるようになる。
【００８４】
以上、本発明の一実施形態について説明したが、かかる実施形態に以下の変形（１）〜（７）を加えてもよい。
【００８５】
（１）上記実施形態では、表示順が左から右になるようフロー表示領域３６内のファイル記号Ｎを配置する説明をした。しかし、表示順が右から左になるようファイル記号Ｎを配置してもよいし、上から下、下から上でもよい。これらは、ファイル記号Ｎの配置と矢印ＬＮの組合せで行うことができる。このことにより、先生は、フロー図３７の方向を気にせずに、フロー図３７を作成することができる。
【００８６】
（２）上記実施形態では、プレゼンテーション装置１０の出力画像はディスプレイ８０に表示される説明をした。しかし、ディスプレイ８０の代わりにプロジェクターを用いるようにしてもよい。このことにより、大型ディスプレイが設置されていない講演会場でも、プロジェクターの利用によって、ファイルの内容を会場全体に大きく見せることができる。
【００８７】
（３）上記実施形態では、一覧表示切替ボタン３５を左クリックして凹みをなくすと、手順表示領域３８が消えて画面の全面にフロー表示領域３６が表示される説明をした。しかし、この一覧表示切替ボタン３５のほかに、フロー表示領域３６を消して画面の全面に単独で手順表示領域３８を表示させるためのボタンを設けてもよい。このことにより、プレゼンテーションするファイルの数が多くて、フロー表示領域３６が表示されているときには手順表示領域３８をスクロールしなければ見えなかったファイルの名称等が、スクロールしなくとも見えるようになる。
【００８８】
（４）上記実施形態において、フロー表示領域３６内のファイル記号Ｎの下にファイルのサムネイル画像を出現させるようにしてもよい。このことにより、先生は、ファイルを表示させなくても、表示内容を確認することができるようになる。
【００８９】
（５）上記実施形態において、フロー表示領域３６内のフロー図３７は、「開始」の文字が表示された矩形の図形ＭＫＳＴＲから「終了」の文字が表示された矩形の図形ＭＫＥＮＤまでの間のルート（手順）は一ルートのみであった。しかし、先生によっては、複数ルートを用意し、講演対象の生徒によって表示するファイルのルートを選択したい場合もある。この場合は、矩形の図形ＭＫＳＴＲから矩形の図形ＭＫＥＮＤまでの間のルートが複数あるフロー図３７を作成できるようにし、矩形の図形ＭＫＳＴＲから伸張する矢印ＬＮをダブルクリックして選択することにより、表示するファイルのルートが選択できるようにする。このことにより、先生は、講演対象の生徒によってプレゼンテーションするファイルの表示手順を切り替えることができるようになる。
【００９０】
（６）上記実施形態において、ファイルは手順表示領域３８にドラッグアンドドロップした後、フロー表示領域３６にドラッグアンドドロップする説明をした。しかし、ファイルを直接フロー表示領域３６にドラッグアンドドロップできるようにしてもよい。このことにより、先生は、ファイルを取り込みつつ、同時にフロー図３７も作成することができるようになる。
【００９１】
（７）上記実施形態において、開始ボタン４０を左クリックすることによって、フロー図３７の先頭から再生処理が開始されることを説明した。しかし、先生の意思が操作に反映されるよう、先生が矢印ＬＮ又はファイル記号Ｎを選択して開始ボタン４０を左クリックした場合、選択された矢印ＬＮの先のファイル記号Ｎに関連したファイルや、選択されたファイル記号Ｎに関連するファイルからフロー図３７通りに再生処理を行えるようにしてもよい。このことにより、フロー図３７（表示手順）の途中からでもファイルの再生処理が開始されるようになるので、先生は、フロー図３７の先頭をスキップして、フロー図３７の途中から講演を開始することができるようになる。
【符号の説明】
【００９２】
１…プレゼンテーションシステム、１０…プレゼンテーション装置、１１…画像出力インターフェース、１２…音声出力インターフェース、１３…ＣＰＵ、１４…ＲＡＭ、１５…ＲＯＭ、１６…ハードディスク、１７…ＰＣ用ディスプレイ、１８…マウス、１９…キーボード、２０…マイクロホン、２１…スピーカ
【図１】
0006263164.tif 000002
【図２】
0006263164.tif 000003
【図３】
0006263164.tif 000004
【図４】
0006263164.tif 000005
【図５】
0006263164.tif 000006
【図６】
0006263164.tif 000007
【図７】
0006263164.tif 000008
【図８】
0006263164.tif 000009
【図９】
0006263164.tif 000010
【図１０】
0006263164.tif 000011